(57)【特許請求の範囲】
【請求項１】
互いに嵌り合う円筒形の開口部を備えた２つの部材を着脱可能に組み合わせるための組付構造において、
前記２つの部材の各開口部が嵌り合った状態での相対的な回転位置の変化により、何れか一方の部材に設けられた係止部が他方の部材に設けられた被係止部に係脱可能であり、前記係止部が前記被係止部に係合すると、前記各開口部の回転中心となる軸方向における離脱を規制する連結手段と、
前記２つの部材が前記被係止部に前記係止部が係合する相対的な回転位置に変化すると、これに伴ない何れか一方の部材に設けられた係止爪が他方の部材に設けられた被係止孔にスナップフィットにより係合して、前記各開口部の相対的な回転を規制し、かつ所定の工具を前記被係止孔に挿入して、該工具により前記回転位置をずらす操作によってのみ前記スナップフィットによる係合が解除され、その後も解除が維持されるロック手段と、を有し、
前記ロック手段における前記係止爪は、前記被係止孔の周囲表面に対して摺接する先端側がテーパー状に傾斜し、該傾斜した一方向への回転に伴ない前記被係止孔に嵌入して係合するものであり、前記被係止孔に嵌入して係合したロック状態と、前記被係止孔の外部より挿入された工具に押されて該被係止孔から外れたロック解除状態とに変位し、
前記係止爪がある方の部材において該係止爪の先端側を臨む位置には、前記被係止孔の外部より挿入された工具を、該被係止孔より前記係止爪を外しつつ前記一方向へ斜めに導くためのガイド部が設けられ、
前記ガイド部に導かれた前記工具の先端を支点として、該工具を前記一方向へ立ち上げた際に、該工具の動きに伴って前記被係止孔が前記一方向へ押されることにより、該被係止孔がある方の部材は前記ロック解除状態が維持される位置まで回転するように設定されたことを特徴とする組付構造。
【請求項２】
前記工具により前記回転位置をずらす操作によって、前記ロック手段のスナップフィットによる係合が解除されるだけでなく、前記連結手段でも前記係止部が前記被係止部から離脱して係合が解除されることを特徴とする請求項１に記載の組付構造。
【請求項３】
前記連結手段における前記係止部と前記被係止部とは、互いに前記軸方向に重なる状態で摺接可能に係合する相対位置に複数設けられており、前記回転位置の変化により、互いに前記軸方向に重なる係合状態と、互いに前記軸方向に重ならない離脱状態とに変位することを特徴とする請求項１または２に記載の組付構造。
【請求項４】
前記連結手段における前記係止部と前記被係止部とは、前記係合状態にて前記係止部のある一方の部材を前記被係止部のある他方の部材に対して、正逆何れか一方向への回転を規制することを特徴とする請求項３に記載の組付構造。
【請求項５】
前記請求項１，２，３または４に記載の２つの部材の組付構造を備えた照明灯具であって、
前記一方の部材は、その内側に光源を収納する照明灯具のケース本体であり、前記他方の部材は、前記光源を覆う状態で前記ケース本体に着脱可能に組み合わされるカバー部材であり、
前記ケース本体と前記カバー部材とは、互いの各開口部が嵌り合った状態で組み合わされることを特徴とする照明灯具。
【請求項６】
前記ケース本体と前記カバー部材との各開口部の間に、連通された内部の防水性を保つためのシール部材を介在させたことを特徴とする請求項５に記載の照明灯具。
【発明の詳細な説明】
【技術分野】
【０００１】
本発明は、互いに嵌り合う円筒形の開口部を備えた２つの部材を着脱可能に組み合わせるための組付構造と、該組付構造を備えた照明灯具に関する。
【背景技術】
【０００２】
従来より、互いに嵌り合う円筒形の開口部を備えた２つの部材を着脱可能に組み合わせるための組付構造には様々なタイプがある。その中でも例えば、照明灯具のケース構造に適用された例として、ＬＥＤユニットを配設するケース（円盤状のベースも含む）と、ＬＥＤユニットを保護するようにケースに被せて取り付けるカバーとの組み合わせに関するものが数多く知られている（例えは特許文献１，２参照）。
【０００３】
このような照明灯具においては、ケース内部のＬＥＤユニットを交換したり、灯具を配設した壁裏配線用の穴からケース内に進入した虫等の異物を除去するために、利用者がカバーを取り外せる構造となっている。かかるカバーの取り外し時に、充電部（基板等）に接触すると感電の虞があるため、設計的な配慮が必要であった。特に、電気用品安全法では前記設計的な配慮に関して、工具なしで容易に取り外すことができる部分を取り外した状態で、試験指が充電部へ接触しない旨の規定がある。
【０００４】
従って、従来のＬＥＤ照明灯具では、前記設計的な配慮として、例えば、カバーが本体とネジによる締結で固定されており、工具を使わなければ外せない、すなわち、外す意図がなければ外せない構造となっていた。あるいは、カバーは容易に外すことができるが、その代わりにケース内部のＬＥＤ基板や電源基板を別途カバーで覆うことにより、直接接触することができない構造となっていた。
【先行技術文献】
【特許文献】
【０００５】
【特許文献１】特開２０１５−１５６２８３号公報
【特許文献２】特開２０１２−１８２１９２号公報
【発明の概要】
【発明が解決しようとする課題】
【０００６】
しかしながら、前述した従来の照明灯具における設計的な配慮では、何れの場合も、締結するためのネジあるいは基板を別途覆うためのカバーが別部品として必要となる。従って、照明灯具の部品点数や組付工数が増えてしまい、コストアップの要因になるという問題があった。
【０００７】
また、ネジを介して取り付ける場合は、その締結作業が面倒であり、作業負担が増加するという問題もあった。
さらに、カバーで基板を覆う場合には、このカバーを光が透過することによって発光効率が低下するという問題もあった。しかも、カバーの内側に熱が籠もりやすいため、ＬＥＤやその他電気部品の寿命が低下したり、故障が発生しやすいという問題もあった。
【０００８】
ところで、照明灯具のケース構造にも適用できる２つの部材の組付構造として、例えばスナップフィットによる係合を利用したものも知られている。ここでスナップフィットとは、部材に設けた凸部を、材料の弾性を利用して受け手側の凹部に嵌め込んで引っ掛けることで、機械的に固定する方法である。スナップフィットによる係合を解除するには、通常は凹部に精密ドライバー等の工具の先端を挿入して、凹部から凸部を外す作業が必要となる。
【０００９】
このような工具の挿入によって、スナップフィットによる係合を解除する場合、前述した設計的な配慮の法規制にも適合することになる。しかしながら、前記スナップフィットによる係合を、そのまま照明灯具のケース構造に適用したとしても、次の問題が生じることになる。
【００１０】
すなわち、照明灯具のケースとカバーをスナップフィットの係合により組み付けた場合、カバーを外す時は工具を凹部に挿入したまま係合が解除された状態を維持しつつ、ケースに対してカバーを開けるように作業しなければならない。このような２つの動作は片手で同時に行うことは困難であり、カバーを取り外す作業が非常に面倒になることは明白であった。
【００１１】
本発明は、以上の従来の技術が有する問題点に着目してなされたものであり、簡易な構成で２つの部材を組み合わせることが可能となり、部品点数や組付工数を削減してコスト低減を実現でき、しかも、２つの部材の着脱作業も容易に行うことができると共に、工具を使わなければ分離できないにも拘わらず、その作業も容易に行うことができる２つの部材の組付構造と、該組付構造を備えた照明灯具を提供することを目的としている。
【課題を解決するための手段】
【００１２】
前述した目的を達成するための本発明の要旨とするところは、以下の各項の発明に存する。
［１］互いに嵌り合う円筒形の開口部（１４，２４）を備えた２つの部材（１１，２１）を着脱可能に組み合わせるための組付構造において、
前記２つの部材（１１，２１）の各開口部（１４，２４）が嵌り合った状態での相対的な回転位置の変化により、何れか一方の部材（２１）に設けられた係止部（３１）が他方の部材（１１）に設けられた被係止部（３２）に係脱可能であり、前記係止部（３１）が前記被係止部（３２）に係合すると、前記各開口部（１４，２４）の回転中心となる軸方向における離脱を規制する連結手段（３０）と、
前記２つの部材（１１，２１）が前記被係止部（３２）に前記係止部（３１）が係合する相対的な回転位置に変化すると、これに伴ない何れか一方の部材（１１）に設けられた係止爪（４１）が他方の部材（２１）に設けられた被係止孔（４２）にスナップフィットにより係合して、前記各開口部（１４，２４）の相対的な回転を規制し、かつ所定の工具（Ｔ）を前記被係止孔（４２）に挿入して、該工具（Ｔ）により前記回転位置をずらす操作によってのみ前記スナップフィットによる係合が解除され、その後も解除が維持されるロック手段（４０）と、を有し、
前記ロック手段（４０）における前記係止爪（４１）は、前記被係止孔（４２）の周囲表面に対して摺接する先端側（４１ａ）がテーパー状に傾斜し、該傾斜した一方向への回転に伴ない前記被係止孔（４２）に嵌入して係合するものであり、前記被係止孔（４２）に嵌入して係合したロック状態と、前記被係止孔（４２）の外部より挿入された工具（Ｔ）に押されて該被係止孔（４２）から外れたロック解除状態とに変位し、
前記係止爪（４１）がある方の部材（１１）において該係止爪（４１）の先端側（４１ａ）を臨む位置には、前記被係止孔（４２）の外部より挿入された工具（Ｔ）を、該被係止孔（４２）より前記係止爪（４１）を外しつつ前記一方向へ斜めに導くためのガイド部（４３）が設けられ、
前記ガイド部（４３）に導かれた前記工具（Ｔ）の先端を支点として、該工具（Ｔ）を前記一方向へ立ち上げた際に、該工具（Ｔ）の動きに伴って前記被係止孔（４２）が前記一方向へ押されることにより、該被係止孔（４２）がある方の部材（１２）は前記ロック解除状態が維持される位置まで回転するように設定されたことを特徴とする組付構造。
【００１３】
［２］前記工具（Ｔ）により前記回転位置をずらす操作によって、前記ロック手段（４０）のスナップフィットによる係合が解除されるだけでなく、前記連結手段（３０）でも前記係止部（３１）が前記被係止部（３２）から離脱して係合が解除されることを特徴とする前記［１］に記載の組付構造。
【００１４】
［３］前記連結手段（３０）における前記係止部（３１）と前記被係止部（３２）とは、互いに前記軸方向に重なる状態で摺接可能に係合する相対位置に複数設けられており、前記回転位置の変化により、互いに前記軸方向に重なる係合状態と、互いに前記軸方向に重ならない離脱状態とに変位することを特徴とする前記［１］または［２］に記載の組付構造。
【００１５】
［４］前記連結手段（３０）における前記係止部（３１）と前記被係止部（３２）とは、前記係合状態にて前記係止部（３１）のある一方の部材（２１）を前記被係止部（３２）のある他方の部材（１１）に対して、正逆何れか一方向への回転を規制することを特徴とする前記［３］に記載の組付構造。
【００１８】
［５］前記［１］，［２］，［３］または［４］に記載の２つの部材（１１，２１）の組付構造を備えた照明灯具（１０）であって、
前記一方の部材は、その内側に光源（５０）を収納する照明灯具（１０）のケース本体（１１）であり、前記他方の部材は、前記光源（５０）を覆う状態で前記ケース本体（１１）に着脱可能に組み合わされるカバー部材（２１）であり、
前記ケース本体（１１）と前記カバー部材（２１）とは、互いの各開口部（１４，２４）が嵌り合った状態で組み合わされることを特徴とする照明灯具（１０）。
【００１９】
［６］前記ケース本体（１１）と前記カバー部材（２１）との各開口部（１４，２４）の間に、連通された内部の防水性を保つためのシール部材（２８）を介在させたことを特徴とする前記［５］に記載の照明灯具（１０）。
【００２０】
次に、前述した解決手段に基づく作用を説明する。
前記［１］に記載の組付構造によれば、２つの部材（１１，２１）の各開口部（１４，２４）が嵌り合った状態では、互いの相対的な回転位置の変化により、連結手段（３０）の一方の部材（２１）にある係止部（３１）が他方の部材（１１）にある被係止部（３２）に係脱する。すなわち、係止部（３１）が被係止部（３２）に係合すると、各開口部（１４，２４）は軸方向における離脱が規制されるが、係止部（３１）が被係止部（３２）から離脱すると、各開口部（１４，２４）は軸方向に離脱できる。ここで軸方向とは、各開口部（１４，２４）の中心を通り互いの回転中心となる架空の軸が延びる方向である。
【００２１】
しかも、２つの部材（１１，２１）はロック手段（４０）により、各開口部（１４，２４）の相対的な回転も規制され、前記連結手段（３０）による連結が不用意に外れないように固定できる。ロック手段（４０）では、前記連結手段（３０）の被係止部（３２）に係止部（３１）が係合する相対的な回転位置に変化すると、これに伴ない一方の部材（１１）にある係止爪（４１）が他方の部材（２１）にある被係止孔（４２）にスナップフィットにより係合する。
【００２２】
よって、各開口部（１４，２４）の相対的な回転は規制され、当該回転位置にて係止部（３１）と被係止部（３２）の係合状態も維持される。一方、２つの部材（１１，２１）を分離する場合は、先ず、ロック手段（４０）のスナップフィット係合を解除する必要がある。そのためには、所定の工具（Ｔ）を前記被係止孔（４２）に挿入して、該工具（Ｔ）により回転位置をずらす操作によってのみスナップフィット係合は解除される。
【００２３】
このような工具（Ｔ）による操作によれば、スナップフィット係合が工具（Ｔ）の操作中だけ一時的に解除されるのではなく、回転位置をずらすことで、工具（Ｔ）を被係止孔（４２）から抜いた後も、そのまま解除された状態が維持される。従って、工具（Ｔ）による操作と必ずしも同時に２つの部材（１１，２１）を分離する必要はなく、工具（Ｔ）による操作が終わってから分離すれば良い。
【００２４】
以上の組付構造によれば、ネジを介して２つの部材（１１，２１）を組み合わせる場合に比べて、部品点数が削減されてコスト低減を実現できるだけではなく、互いの組み付けないし分離する作業が容易であり、その作業時間を短縮することができる。しかも、利用者が工具（Ｔ）を用意して外す意図がなければ、不用意に分離される虞もない。
【００２５】
前記［２］に記載の組付構造によれば、前記工具（Ｔ）により回転位置をずらす操作によって、前記ロック手段（４０）のスナップフィット係合が解除されるだけでなく、前記連結手段（３０）でも係止部（３１）が被係止部（３２）から離脱して係合が解除される。これにより、ロック手段（４０）の解除操作だけで同時に連結手段（３０）の係合も解除されるため、いっそう２つの部材（１１，２１）を分離する作業を簡略化することができる。
【００２６】
また、前記連結手段（３０）の係止部（３１）と被係止部（３２）は、具体的には例えば前記［３］に記載したように、互いに軸方向に重なる状態で摺接可能に係合する周方向の相対位置に間隔をおいて複数設けるものとする。そして、互いの回転位置の変化により、周方向に合致すれば軸方向に重なる係合状態となり、周方向に離間すれば軸方向に重ならない離脱状態となる。かかる構成によれば、何れか一方の部材（１１，２１）を回転させるだけで、簡単に係脱させることができる。
【００２７】
ここで、さらに前記［４］に記載したように、前記係止部（３１）と前記被係止部（３２）とは、係合状態にて係止部（３１）のある一方の部材（２１）を被係止部（３２）のある他方の部材（１１）に対して、正逆何れか一方向への回転を規制するように構成すると良い。これにより、連結手段（３０）において係合状態と離脱状態にするための回転方向やその位置決めが明確となり、回転後の一方向への位置ずれも防止することができる。
【００３３】
以上のような２部品の組付構造は、例えば［５］に記載したように照明灯具（１０）のケース構造に適用すると良い。すなわち、一方の部材は、その内側に光源（５０）を収納する照明灯具（１０）のケース本体（１１）とし、他方の部材は、光源（５０）を覆う状態でケース本体（１１）に着脱可能に組み合わされるカバー部材（２１）とする。ここでケース本体（１１）とカバー部材（２１）は、互いの各開口部（１４，２４）が嵌り合った状態で組み合わされる。
【００３４】
特に、前記［６］に記載したように、ケース本体（１１）とカバー部材（２１）との各開口部（１４，２４）の間に、連通された内部の防水性を保つためのシール部材（２８）を介在させれば、多湿な浴室等の照明灯具（１０）に適した防水構造のケーシングとして活用することができる。
【発明の効果】
【００３５】
本発明に係る２つの部材の組付構造と、該組付構造を備えた照明灯具によれば、簡易な構成で２つの部材を組み合わせることが可能となり、部品点数や組付工数を削減してコスト低減を実現することができる。しかも、２つの部材の着脱作業も容易に行うことができると共に、工具を使わなければ分離できないにも拘わらず、その作業も容易に行うことができる。
【図面の簡単な説明】
【００３６】
【図１】本発明の実施の形態に係る照明灯具を示す斜視図である。
【図２】本発明の実施の形態に係る照明灯具を各構成部品を分解して示す分解斜視図である。
【図３】本発明の実施の形態に係る照明灯具を示す平面図である。
【図４】本発明の実施の形態に係る照明灯具を示す正面図である。
【図５】本発明の実施の形態に係る照明灯具を示す底面図である。
【図６】本発明の実施の形態に係る照明灯具を示す側面図である。
【図７】図４中のVII−VII線断面図である。
【図８】本発明の実施の形態に係る照明灯具のケース本体とカバー部材の係合が解除された状態において、カバー部材の上側を切断して灯具内部の構造を示す断面図である。
【図９】本発明の実施の形態に係る照明灯具のケース本体とカバー部材との係合が解除された状態において、連結手段およびロック手段の要部を拡大して示す説明図である。
【図１０】本発明の実施の形態に係る照明灯具のケース本体とカバー部材との係合が解除された状態において、連結手段の要部を拡大して示す断面図（図８中のＸ−Ｘ線断面図）である。
【図１１】本発明の実施の形態に係る照明灯具のケース本体とカバー部材との係合が解除された状態において、ロック手段の要部を拡大して示す断面図（図８中のXI−XI線断面図）である。
【図１２】本発明の実施の形態に係る照明灯具のケース本体とカバー部材とが係合した状態において、カバー部材の上側を切断して灯具内部の構造を示す断面図である。
【図１３】本発明の実施の形態に係る照明灯具のケース本体とカバー部材とが係合した状態において、連結手段およびロック手段の要部を拡大して示す説明図である。
【図１４】本発明の実施の形態に係る照明灯具のケース本体とカバー部材とが係合した状態において、連結手段の要部を拡大して示す断面図（図１２中のXIV−XIV線断面図）である。
【図１５】本発明の実施の形態に係る照明灯具のケース本体とカバー部材とが係合した状態において、ロック手段の要部を拡大して示す断面図（図１２中のXV−XV線断面図）である。
【図１６】本発明の実施の形態に係る照明灯具のケース本体とカバー部材との係合を解除する工具による最初の操作と、この操作時におけるロック手段および連結手段の要部を拡大して示す説明図である。
【図１７】本発明の実施の形態に係る照明灯具のケース本体とカバー部材との係合を解除する工具による最後の操作と、この操作後におけるロック手段および連結手段の要部を拡大して示す説明図である。
【図１８】本発明の別の実施の形態である変形例に係る照明灯具の全体およびロック手段を拡大して示す説明図である。
【図１９】本発明の別の実施の形態である変形例に係る照明灯具においてロック手段がロック状態に至る過程を示す説明図である。
【図２０】本発明の別の実施の形態である変形例に係る照明灯具においてロック手段がロック解除状態に至る過程を示す説明図である。
【発明を実施するための形態】
【００３７】
以下、図面に基づき本発明を代表する実施の形態を説明する。
図１〜図１７は、本発明の一実施の形態を示している。
本実施の形態に係る２つの部材を着脱可能に組み合わせる組付構造を、以下に照明灯具１０のケース構造に適用した場合を例に説明する。２つの部材である一方の部材と他方の部材は、特にその具体的な形状は問わないが、互いに嵌り合う円筒形の開口部を備えるものとする。
【００３８】
図１，２に示すように、本実施の形態に係る照明灯具１０は、浴室の天井や側壁等の壁面に配設されるものであり、その外形をなすケース１０ａは防水性を備えている。ケース１０ａは、全体として中心軸と平行な奥行方向の厚さが薄い扁平な円盤形をなし、一方の部材としてケース本体１１と、他方の部材としてカバー部材２１とからなる。
【００３９】
ケース本体１１は、その内側に光源ユニット５０を収納するものであり、カバー部材２１は、前記光源ユニット５０を覆う状態で前記ケース本体１１に着脱可能に組み合わされるものである。なお、ケース本体１１とカバー部材２１の中心軸が互いの回転中心となる軸と一致しており、この軸が延びる方向を「軸方向」とする。
【００４０】
先ず、照明灯具１０のケース１０ａの全体の概要について説明する。
図２に示すように、ケース本体１１は、合成樹脂や金属により円形で底浅なケース状に形成されており、その底面部１２の外周縁に沿ってフランジ状の周壁部１３が一体に設けられている。周壁部１３の先端縁側が、そのまま円形の開口部１４をなしている。
【００４１】
底面部１２の内面には、光源ユニット５０が配設される。よって、底面部１２の内面上には、光源ユニット５０を内面より離隔した位置に取り付ける一対のボス１２ａ，１２ａが突設されている。なお、底面部１２には、その他、ネジ等で固定する取付孔や各種配線を通すための挿通孔等が開設されている。
【００４２】
カバー部材２１は、前記ケース本体１１よりも深さのある円形のケース状に形成されており、一般にはグローブと称される。カバー部材２１の前面部２２の外周縁に沿って円筒状の周壁部２３が一体に設けられている。周壁部２３の先端縁側が、そのまま円形の開口部２４をなしている。カバー部材２１は、少なくとも前面部２２より光を外部へ照射できるように透光性材質である合成樹脂等により形成される。また、周壁部２３において、開口部２４よりやや離れた位置には、その全周に亘り径方向外側に向かって延びるフランジ部２５が形成されている。
【００４３】
本実施の形態では、カバー部材２１の開口部２４の外径は、ケース本体１１の開口部１４の内径よりも小さく設定され、ケース本体１１の開口部１４の内側にカバー部材２１の開口部２４が嵌るように組み合わされる。ここで図７に示すように、カバー部材２１の開口部２４の端縁は、ケース本体１１の底面部１２の内面周囲に当接し、ケース本体１１の開口部１４の端縁は、カバー部材２１のフランジ部２５に当接するように設定されている。このようにケース本体１１とカバー部材２１とは、各開口部１４，２４が嵌り合うことで、互いの内部空間が密閉された状態で連通する。
【００４４】
次に、ケース本体１１とカバー部材２１の連結手段３０について説明する。
連結手段３０は、ケース本体１１とカバー部材２１の各開口部１４，２４が嵌り合った状態での相対的な回転位置の変化により、カバー部材２１に設けられた係止部３１がケース本体１１に設けられた被係止部３２に係脱可能であり、係止部３１が被係止部３２に係合すると、各開口部１４，２４の軸方向における離脱を規制するものである。
【００４５】
カバー部材２１における周壁部２３の内周面にて、直径方向に対向する位置には、内周面上に突出する一対の係止部３１，３１が設けられている。図８，図９および図１０に示すように、各係止部３１は、周壁部２３の内周面に沿って細幅で弧状に延びる薄板状に形成されている。また、係止部３１の先端３１ａは、ケース本体１１に対してカバー部材２１が回転する一方向に向かって前記開口部２４側に傾斜している。このような各係止部３１は、前記回転軸を間にして点対称となる形状に設けられている。
【００４６】
ケース本体１１における底面部１２の内面にて、直径方向に対向する位置には、内面上に突出する一対の被係止部３２，３２が設けられている。各被係止部３２は、前記係止部３１と同様に前記回転軸を間にして点対称となる形状に設けられている。図８，図９および図１０に示すように、各被係止部３２は、底面部１２の内面上に立設された支持片３２ａの上端より前記内面と平行に広がり、その下面側に前記係止部３１が重なり合うように係合する被係止片３２ｂとして形成されている。
【００４７】
ここで支持片３２ａは周方向に沿って配されており、その上端に連なる被係止片３２ｂは、径方向外側に延出している。また、支持片３２ａの一側縁には、径方向外側に延出して前記係止部３１の先端が当接し、ケース本体１１に対してカバー部材２１が回転する一方向への回転範囲を規制する回転規制片３２ｃが形成されている。この回転規制片３２ｃに前記係止部３１の先端３１ａが当接することで、ケース本体１１に対するカバー部材２１の一方向への回転も規制される。また、係止部３１の先端３１ａが傾斜することで、係止部３１が被係止部３２の被係止片３２ｂに重なり合う際、端縁同士がぶつかり合うことが回避される。
【００４８】
以上のように、連結手段３０をなす係止部３１と被係止部３２は、互いに軸方向（上下）に重なる状態で摺接可能に係合する相対位置に２つずつ設けられている。係止部３１および被係止部３２は、ケース本体１１とカバー部材２１の各開口部１４，２４の回転位置の変化により、互いに軸方向に重なる係合状態と、互い軸方向に重ならない離脱状態とに変位する。係合状態では、各開口部１４，２４の軸方向における離脱が規制されるだけでなく、前述したように一方向への回転も規制される。
【００４９】
次に、ケース本体１１とカバー部材２１とのロック手段４０について説明する。
ロック手段４０は、ケース本体１１とカバー部材２１が、前記被係止部３２に前記係止部３１が係合する相対的な回転位置に変化すると、これに伴ないケース本体１１に設けられた係止爪４１がカバー部材２１に設けられた被係止孔４２にスナップフィットにより係合するものである。このスナップフィット係合により、各開口部１４，２４の相対的な回転は規制されるが、所定の工具Ｔを前記被係止孔４２に挿入して、該工具Ｔにより前記回転位置をずらす操作によってのみスナップフィット係合が解除され、その後も解除が維持される。
【００５０】
ケース本体１１における周壁部１３の外周面にて、前記各被係止部３２の一方と周壁部１３越し対向する位置には、径方向外側に向かって突出する収納部１５が設けられている。この収納部１５は、周壁部１３の外周面に沿って細幅で弧状に延びる開口断面に形成されており、上下面がそれぞれ開口している。収納部１５の開口上部における一端側に、係止爪４１は設けられている。
【００５１】
図８，図９および図１１に示すように、係止爪４１は、収納部１５の開口上部における一端側に一体に連結され、その先端側４１ａが開口上部における他端側に向かって延びており、上下に弾性変形が可能に配されている。この先端側４１ａは、後述する被係止孔４２の周囲表面に対してスムーズに摺接するようにテーパー状に傾斜している。また、先端側４１ａにて、その傾斜の頂端より後方で被係止孔４２に引っ掛かる部分の保持角は、一度嵌るとそのままでは外れないよう直角に設定されている。
【００５２】
また、収納部１５の開口下部における他端側には、後述する被係止孔４２の外部より挿入された工具Ｔを、該被係止孔４２より係止爪４１を外しつつ、係止爪４１のテーパーが傾く方向と同じ一方向へ斜めに導くためのガイド部４３が設けられている。ここで工具Ｔとは、図１６に示すように、被係止孔４２に挿通可能な精密ドライバー等の先端側が細棒状のものが該当する。
【００５３】
図１１に示すように、ガイド部４３は、収納部１５の内部でリブとして形成されており、収納部１５の開口下部における他端側から前記係止爪４１の先端側４１ａを下方より臨む位置まで斜めに延びている。このガイド部４３の基端側には、該ガイド部４３に沿って斜めに導かれた工具Ｔの先端を位置決めして当接させる凹溝４３ａがある。なお、収納部１５の開口上部における一端側には、後述の舌片部２６の一端側を当接させる位置決め用のストッパ１５ａが上方に突設されている。
【００５４】
カバー部材２１におけるフランジ部２５にて、前記収納部１５に対応する一端側には、径方向外側に向かって突出する舌片部２６が設けられている。舌片部２６は、前記収納部１５の開口上部に合致する形状であり、フランジ部２５と同じ板厚に形成されている。この舌片部２６の略中央に被係止孔４２は設けられている。図８，図９および図１１に示すように、被係止孔４２は、前記係止爪４１の先端側４１ａが嵌入する形状をなしている。
【００５５】
以上のように、ロック手段４０をなす係止爪４１と被係止孔４２は、係止爪４１がその先端側４１ａのテーパーが傾斜した一方向へ回転すると、正確には、定位置に固定されたケース本体１１にある係止爪４１に対して、カバー部材２１が相対的に他方向へ回転することに伴って、係止爪４１は被係止孔４２に嵌入して係合したロック状態となる。かかるロック状態では、カバー部材２１のケース本体１１に対する正逆両方向への回転は規制される。特に、前記連結手段３０では規制されないケース本体１１に対するカバー部材２１の他方向への回転が規制される。
【００５６】
係止爪４１の先端側４１ａにて、被係止孔４２の内縁に引っ掛かる部分の角度は、前述したように直角であり、被係止孔４２に一度嵌るとそのままでは外すことはできない。そこで、被係止孔４２の外部より工具Ｔを差し込み、係止爪４１を弾性に抗して外す方向に力を加えれば外すことができる。ただし、工具Ｔを差し込んだ方向にそのまま引き抜くと、係止爪４１は再び被係止孔４２に係合することになる。詳しくは後述するが本光源ユニット５０では、工具Ｔによる操作によってのみスナップフィット係合が解除され、その後も解除が維持されるように設定されている。
【００５７】
次に、照明灯具１０のケース１０ａにおける防水構造について説明する。
カバー部材２１の開口部２４の外周側に沿って、上下に並ぶ細幅のフランジ間で周方向に延びる溝部２７が形成されている。この溝部２７内には弾性体からなるシール部材２８が埋設されている。シール部材２８は、開口部２４に沿って環状に設けられており、その円形断面の外周の一部が溝部２７より外側にはみ出ている。
【００５８】
図７に示すように、ケース１０ａの組付状態において、溝部２７の外側にはみ出た溝部２７の外周が、対向するケース本体１１の周壁部１３の内周面に弾発的に密着することにより、各開口部１４，２４の間がシールされる。これにより、ケース１０ａの内部の防水性を確保することができ、浴室等での使用に適したものとなる。
【００５９】
次に、ケース本体１１に配設された光源ユニット５０についても簡単に説明する。
光源ユニット５０は、底面部１２の内側に収まる大きさの円形状の基板５１の表面に複数のＬＥＤ５２を実装して構成されている。ここで基板５１は、一般的なプリント配線基板であり、ＬＥＤ５２は、具体的には例えば表面実装型のＬＥＤチップである。もちろん、発光素子を略砲弾型のモールドに埋め込んだＬＥＤランプを用いても良い。なお、基板５１の表面は、ＬＥＤ５２も覆うように防水性の樹脂によりコーティングすると良い。
【００６０】
また、基板５１の裏面側等の適所には、図示省略したが電線や信号線等の各種配線を接続するためのコネクタが設けられている。ここでコネクタに接続された各種配線は、前述したケース本体１１における底面部１２にある挿通孔より外部に通じており、各種配線を介して照明灯具１０への電気信号の入出力や給電が行われる。
【００６１】
次に、本実施の形態に係る照明灯具１０の作用を説明する。
照明灯具１０を浴室に施工する場合は、先ずケース本体１１を天井等の壁面に対してネジ等で固定し、このケース本体１１の開口部１４をカバー部材２１で覆うように組み合わせる。ケース本体１１とカバー部材２１の各開口部１４，２４が嵌り合った状態では、互いの相対的な回転位置の変化により、連結手段３０をなすケース本体１１の係止部３１がカバー部材２１の被係止部３２に係脱する。
【００６２】
図８，図９に示すように、既に固定されたケース本体１１の被係止部３２に対して、カバー部材２１の係止部３１が軸方向に重なり合わない回転位置にして、ケース本体１１の開口部１４の内側にカバー部材２１の開口部２４を嵌め合わせる。そして、ケース本体１１に対してカバー部材２１を、図８中で時計回りとなる一方向へ回転させると、図１２，図１３に示すように、係止部３１が被係止部３２に対して軸方向に重なる係合状態となる。
【００６３】
これにより、ケース本体１１とカバー部材２１の各開口部１４，２４は、互いに軸方向における離脱が規制される。ここで係止部３１と被係止部３２は、それぞれ直径方向に対向する位置に一対ずつ設けられている。すなわち、周方向の相対位置に間隔をおいて複数設けられているため、安定した係合状態を保つことができる。また、２つの部材１１，２１のうち何れか一方を回転させるだけで、簡単に互いに係脱させることができる。
【００６４】
また、図１０に示すように、係止部３１の先端３１ａは傾斜しており、係止部３１が被係止部３２の被係止片３２ｂに重なり合う時に、それぞれ端縁同士がぶつかり合うことが回避される。さらに、係止部３１と被係止部３２が重なる係合状態になると、係止部３１の先端３１ａが被係止部３２の回転規制片３２ｃに当接するため、当該位置にて一方向への回転が規制される。これにより、連結手段３０において係合状態と離脱状態にするための回転方向やその位置決めが明確となり、回転後の一方向への位置ずれも防止することができる。
【００６５】
前記連結手段３０にて係合状態となると、同時にロック手段４０ではロック状態となる。すなわち、図１２，図１３に示すように、ロック手段４０では、前記連結手段３０の被係止部３２に係止部３１が係合する相対的な回転位置に変化すると、これに伴ないケース本体１１にある係止爪４１がカバー部材２１にある被係止孔４２にスナップフィットにより係合する。これにより、各開口部１４，２４の相対的な正逆両方向への回転が規制され、前記連結手段３０による係合状態が不用意に外れないように維持される。
【００６６】
図９，図１１に示すように、係止爪４１の先端側４１ａはテーパー状に傾斜しているため、被係止孔４２のある舌片部２６の一端側に当接すると、その下方へスムーズに弾性変形し、被係止孔４２の周囲表面に対して弾発的に摺接しつつ、被係止孔４２に合致すると弾発力により嵌入してロック状態となる。この時、舌片部２６の一端側が収納部１５にあるストッパ１５ａに当接するため、当該位置にて一方向への回転が規制される。かかる位置決めにより、係止爪４１が被係止孔４２を乗り越えることを防止することができる。
【００６７】
係止爪４１で被係止孔４２に引っ掛かる部分の保持角は、一度嵌るとそのままでは外れない角度であるが、被係止孔４２の外部より工具Ｔを挿入して、係止爪４１の弾発力に抗して外れる方向に力を加えることにより、被係止孔４２から外れてロック解除状態となる。このように工具Ｔを使った場合のみ、ロック状態からロック解除状態に変位させることが可能となり、ケース本体１１からカバー部材２１を分離することができる。
【００６８】
詳しく言えば、図１６（ａ）に示すように、工具Ｔを被係止孔４２に外部から挿入すると、工具Ｔの先端は被係止孔４２より係止爪４１を外しつつ、ガイド部４３によって一方向へ斜めに導かれる。この時、図１６（ｂ）に示すように、ロック手段４０は未だ係合状態にある。
【００６９】
続いて、図１７（ａ）に示すように、収納部１５内で凹溝４３ａに当接した工具Ｔの先端を支点として、工具Ｔを一方向へ立ち上げると、工具Ｔの動きに伴って被係止孔４２の内縁が一方向へ押されることにより、この被係止孔４２にかかる力はカバー部材２１をケース本体１１に対して一方向へ回転させる力として作用する。
【００７０】
このように、工具Ｔを被係止孔４２に挿入して、該工具Ｔにより各開口部１４，２４の回転位置をテコの原理でずらす操作によって、被係止孔４２があるカバー部材２１は、係止爪４１が被係止孔４２の周囲（舌片部２６の裏面）に乗り上げて、被係止孔４２から係止爪４１が外れたロック解除状態が維持される位置まで容易に回転する。この時、図１７（ｂ）に示すように、ロック手段４０も同時に離脱状態となる。
【００７１】
このような工具Ｔによる操作によれば、スナップフィット係合が工具Ｔの操作中だけ一時的に解除されるのではなく、回転位置をずらすことで、その後工具Ｔを被係止孔４２から抜いても、そのまま解除された状態が維持される。従って、工具Ｔによる操作と必ずしも同時にケース本体１１とカバー部材２１を分離させる必要はなく、工具Ｔによる操作が終わってから分離すれば良い。しかも、ロック手段４０の解除操作だけで、同時に連結手段３０の係合も解除されるため、いっそうケース本体１１とカバー部材２１を分離する作業を簡略化することができる。
【００７２】
以上の組付構造によれば、ネジを介してケース本体１１とカバー部材２１を組み合わせる場合に比べて、部品点数が削減されてコスト低減を実現できるだけではなく、互いの組み付けないし分離する作業が容易であり、その作業時間を短縮することができる。しかも、利用者が工具Ｔを用意して外す意図がなければ、不用意に解除される虞もない。
【００７３】
よって、本実施の形態のようにＬＥＤを光源とする照明灯具１０に適用した場合には、その関連法規の設計的な配慮を満たすことができる。また、ケース１０ａの内部（主に光源ユニット５０）の保守点検を行う場合のカバー部材２１の取り外しおよび取り付け作業の簡素化および効率化も可能となる。
【００７４】
ところで、前述した実施の形態によれば、前記連結手段３０の係止部３１および被係止部３２は、ケース１０ａの内部に配されており、外面上に出っ張らないように構成されているが、前記ロック手段４０の係止爪４１および被係止孔４２は、それぞれケース１０ａの外面上に出っ張る収納部１５と舌片部２６に設けられている。
【００７５】
そこで、別の実施の形態となる変形例として、ロック手段４０の係止爪４１および被係止孔４２についても、ケース１０ａの外面上に出っ張らすことなく内部に配するように構成しても良い。具体的には例えば、図１８〜図２０に示すように、ロック手段４００の係止爪４１０および被係止孔４２０を、２つの部材１１，２１の周壁部１３，２３にそれぞれ設けることで、ケース１０ａの外面上に出っ張らない構成とすることができる。
【００７６】
詳しく言えば、本変形例では、ケース本体１１の開口部１４の内側ではなく外側に、カバー部材２１の開口部２４が嵌るように組み合わされて、カバー部材２１の周壁部２３がケース本体１１の周壁部１３を外側から覆う状態となる。このケース本体１１の周壁部１３の一端側の下方に、係止爪４１０は径方向外側を臨み、かつ径方向内側に撓むように設けられている。また、カバー部材２１の周壁部２３の一端側の下方には、前記係止爪４１０がスナップフィットにより係合する被係止孔４２０が設けられている。
【００７７】
また、ケース本体１１の周壁部１３において、前記係止爪４１０の先端側を臨む位置には、前記被係止孔４２０の外部より挿入された工具Ｔを、前記被係止孔４２０より係止爪４１０を外しつつ、一方向へ斜めに導くためのガイド部４３０が設けられ、このようなガイド部４３０は、周壁部１３にて径方向内側に図示した断面形状で凹むように設けられている。なお、前記連結手段３０については、図示省略したが前述した実施の形態と同様の構成である。
【００７８】
このようなロック手段４００によれば、図示省略した前記連結手段３０の被係止部３２に係止部３１が係合する相対的な回転位置に変化すると、これに伴ない係止爪４１０が被係止孔４２０にスナップフィットにより係合する。これにより、各開口部１４，２４の相対的な正逆両方向への回転が規制され、前記連結手段３０による係合状態が不用意に外れないように維持される。
【００７９】
図１９（ａ）に示すように、係止爪４１０の先端側はテーパー状に傾斜しているため、被係止孔４２０に係合するに至るまでは、カバー部材２１の周壁部２３の内壁面に図中の矢印方向へスムーズに摺接する。図１９（ｂ）に示すように、被係止孔４２０が被係止孔４２０に合致すると、弾発力により嵌入してロック状態となる。この時、係止爪４１０の後方に突設されているストッパ４４１が、被係止孔４２０の手前にある段部４４２に当接するため、当該位置にて一方向への回転が規制される。かかる位置決めにより、係止爪４１０が被係止孔４２０を乗り越えることを防止することができる。
【００８０】
ロック手段４００がロック状態にある時は、被係止孔４２０の外部より工具Ｔを挿入して、係止爪４１０の弾発力に抗して外れる方向に力を加えることにより、被係止孔４２０から外れてロック解除状態となる。すなわち、図２０（ａ）に示すように、工具Ｔを被係止孔４２０に外部から挿入すると、工具Ｔの先端は被係止孔４２０より係止爪４１０を外しつつ、ガイド部４３０によって一方向へ斜めに導かれる。
【００８１】
続いて、図２０（ｂ）に示すように、ガイド部４３０の底部に当接した工具Ｔの先端を支点として、工具Ｔを図中の矢印方向へ立ち上げると、工具Ｔの動きに伴って被係止孔４２０の内縁が一方向へ押されることにより、この被係止孔４２０にかかる力はカバー部材２１をケース本体１１に対して一方向へ回転させる力として作用することになり、その基本的な原理は前述のロック手段４０と同様である。
【００８２】
以上、本発明の実施の形態を図面によって説明してきたが、具体的な構成はこれらの実施の形態に限られるものではなく、本発明の要旨を逸脱しない範囲における変更や追加があっても本発明に含まれる。例えは、前記連結手段３０の係止部３１および被係止部３２についても、２つの部材１１，２１の周壁部１３，２３に設けることにより、互いに軸方向ではなく径方向に係合するように構成しても良い。
【００８３】
また、２つの部材であるケース本体１１とカバー部材２１は、特にその具体的な形状は問わないが、互いに嵌り合う円筒形の開口部１４，２４を備えるものとする。ここで各開口部１４，２４は円筒形であるが、その周壁部１３，２３の高さ寸法の大小は問わず、少なくとも一方の部材では、その周壁の高さを極小として円板に近い形状としても良い。
【００８４】
また、前記実施の形態では、連結手段３０の係止部３１および被係止部３２を、直径方向に対向する位置に一対設けたが、これらの数は２組だけに限定されるものではなく、周方向に間隔をおいて３組以上設けても良い。また、ロック手段４０の係止爪４１および被係止孔４２のスナップフィット構造は、前記実施の形態に限定されるものでなく、弾性を利用して係止可能な構成であれば、形状等を適宜変更しても良い。
【００８５】
また、前記実施の形態では、連結手段３０の係止部３１がカバー部材２１に設けられ、被係止部３２がケース本体１１に設けられたが、逆の態様として、係止部３１をケース本体１１に設けて、被係止部３２をカバー部材２１に設けても良い。同様に、ロック手段４０の係止爪４１をカバー部材２１に設けて、被係止孔４２をケース本体１１に設けても良い。
【００８６】
また、前記実施の形態では、照明灯具１０を浴室等に設置される防水性を備えたものを例に説明したが、これは単なる例示に過ぎず、例えばシール部材２８を設けずに防水性を備えない照明灯具であっても良い。もちろん、２つの部材の組付構造を適用する対象は照明灯具に限定されることはない。
【００８７】
さらに、２つの部材１１，２１は、それぞれ開口部１４，２４の反対側が塞がれた有底の構造である必要もなく、例えば管形の部材同士の組み合わせにも適用することができる。また、各開口部１４，２４は円筒形であるが、ここで円筒形とはその周壁の高さ寸法の大小は問わず、例えば少なくともケース本体１１では、その周壁の高さを極小として円板に近い形状としても良い。
【産業上の利用可能性】
【００８８】
本発明は、互いに嵌り合う円筒形の開口部を備えた２つの部材を着脱可能に組み合わせるための組付構造として広く利用することができ、特に、照明灯具のケース構造での利用に適している。
【符号の説明】
【００８９】
１０…照明灯具
１０ａ…ケース
１１…ケース本体
１２…底面部
１３…周壁部
１４…開口部
１５…収納部
２１…カバー部材
２２…前面部
２３…周壁部
２４…開口部
２５…フランジ部
２６…舌片部
２７…溝部
２８…シール部材
３０…連結手段
３１…係止部
３２…被係止部
４０…ロック手段
４１…係止爪
４２…被係止孔
４３…ガイド部
４３ａ…凹溝
５０…光源ユニット
５１…基板
５２…ＬＥＤ
４００…ロック手段
４１０…係止爪
４２０…被係止孔
４３０…ガイド部
【図１】
0006689054.tif 000002
【図２】
0006689054.tif 000003
【図３】
0006689054.tif 000004
【図４】
0006689054.tif 000005
【図５】
0006689054.tif 000006
【図６】
0006689054.tif 000007
【図７】
0006689054.tif 000008
【図８】
0006689054.tif 000009
【図９】
0006689054.tif 000010
【図１０】
0006689054.tif 000011
【図１１】
0006689054.tif 000012
【図１２】
0006689054.tif 000013
【図１３】
0006689054.tif 000014
【図１４】
0006689054.tif 000015
【図１５】
0006689054.tif 000016
【図１６】
0006689054.tif 000017
【図１７】
0006689054.tif 000018
【図１８】
0006689054.tif 000019
【図１９】
0006689054.tif 000020
【図２０】
0006689054.tif 000021